(57)【特許請求の範囲】
【請求項１】
研がれた二つの平行な縁を含む自動剥離接点（１６）を備えた金属バー（１３）に導線を接続するための自動剥離接続装置を少なくとも一つ含む配電端子であって、
前記自動剥離接続装置は、ドライバ（２４）の作用で接点（１６）に導線（４０）を押し付ける手段（２１、２２、２５）を備えており、各接点が、鋭く平行な縁を有する収束端部（１６’Ａ、１６’Ｂ）によって終端する二つの平行な部分を画定するように折り曲げられたプレートを含んでおり、
前記配電端子は、区画（１２）に分けられたプラスチック製のケースを含み、各区画が、自動剥離接点（１６）、ねじ（２２）が入った縦孔（２１）およびタペット（２５）を含み、ケースには、各区画ごとに、接続すべき導線を入れることができるように、タペット（２５）の基部と自動剥離接点（１６）との間に開口（２７）が開けられており、前記の開口（２７）が、自動剥離接続装置の縁（１６’Ａ、１６’Ｂ）に平行なスリット（２８）と連絡しており、
前記スリット（２８）が、接続の後に導線を挟むことができるようにするリップ（３１、３２）を備えていることを特徴とする、前記配電端子。
【請求項２】
前記の押し付け手段がねじ（２２）を含む一つの縦孔（２１）を有し、このねじは並進できないように固定され、このねじが前記のドライバ（２４）の作用で回転すると、ねじ（２２）と協働するねじ切りタペット（２５）が軸方向に移動するが回転はしないことを特徴とする請求項１に記載の配電端子。
【請求項３】
前記リップ（３１、３２）がケースと一緒に成形されて作られることを特徴とする請求項１または２に記載の配電端子。
【請求項４】
自動剥離接点（１６）の高さが接続すべき導線の直径の倍数に等しいことを特徴とする請求項１から３のいずれか一項に記載の配電端子。
【請求項５】
前記スリット（２８）が、例えば前記ドライバ（２４）を使用して単に押し付けによって導線を引き出すことができるように、自動剥離接点（１６）のレベルの下方にリップなしで延びていることを特徴とする請求項１から４のいずれか一項に記載の配電端子。
【発明の詳細な説明】
【０００１】
【発明の属する技術分野】
本発明は、複数の導線を自動剥離によって一つの共通バーに連結することのできる配電端子の実現に特に適用できる、急速作動式自動剥離接続装置に関するものである。
【０００２】
【発明が解決しようとする課題】
本発明の一つの目的は、導線の接続を、通常のドライバ以外の道具を必要とすることなく簡単に、かつ例えばドライバの１８０度未満の回転によって迅速に実行することのできる、自動剥離接続装置を実現することである。
【０００３】
本発明の他の一つの目的は、すでに接続された導線を簡単なドライバによって取り外すことのできる接続を実現することである。
【０００４】
【課題を解決するための手段】
本発明は、研磨した平行な縁を含む自動剥離接点を備えた金属バーに導線を接続するための自動剥離接続装置であり、ドライバの作用で接点に導線を押し付ける手段を含むことを特徴とする前記自動剥離接続装置を対象とする。
【０００５】
前記押し付け手段はねじを含む一つの縦孔を有し、このねじは並進できないように固定され、このねじが前記のドライバの作用で回転すると、ねじと協働するねじ切りタペットが軸方向に移動するが回転はしない点で好都合である。
【０００６】
また本発明は、上記に定義されたような自動剥離接続装置を少なくとも一つ含む端子をも対象とする。
【０００７】
本発明の特定の一実施形態では、端子は区画に分けられたプラスチック製のケースを含み、各区画は、自動剥離接点、ねじが入った縦孔およびタペットを含み、ケースには、各区画ごとに、接続すべき導線を入れることができるように、タペットの基部と自動剥離接点との間に開口が開けられており、この開口は、自動剥離接点の縁に平行なスリットと連絡している。
【０００８】
本発明の重要な特徴によれば、前記スリットは、接続の後に導線を挟むことができるようにするリップを備えている。
【０００９】
前記リップはケースと一緒に成形すると好都合である。
【００１０】
本発明の他の特徴によれば、自動剥離接点の高さは、接続すべき導線の直径の倍数に等しい。
【００１１】
前記スリットが、例えば前記ドライバを使用して単に押し付けによって導線を引き出すことができるように、自動剥離接点のレベルの下方にリップなしで延びていると好都合である。
【００１２】
ここで本発明を、添付の図面を参照しながら一実施例の記述によって詳しく説明する。
【００１３】
【発明の実施の形態】
記述の例は接続端子に関する例であるが、本発明による急速作動式自動剥離接続装置は、接続技術分野のあらゆる形式の装置に適用することができることを理解されたい。
【００１４】
端子は、全体的に記号Ａ及びＢで参照される二つのはめ込み可能な部分から成ることが好ましい、プラスチック材料製の一つのケースを含む（図３を参照）。このアセンブリは、ほぼ平行六面体のケースを規定し、このケースは前面１、後面２、頂部３、及び底部４を含み、底部４は固定用金属レール５に固定することができる。部分Ａは、前面１、底部４、及び後面２の下部を含む。部分Ｂは、頂部３及び後面２の上部を含む。ケースは、複数の平行区画１２を規定する横断隔壁１１を含み、これらの区画の各々は一つまたは複数の導線を受け入れることができる。隔壁１１は、金属バー１３の挿入を可能にする整列した開口を備えており（図３から図５までを参照）、この１本のバーに導線が電気的に接続されることになる。
【００１５】
ケースの長さならびに高さは、実施すべき接続の数によって変わる。ケースの各端部には成形された耳７があり、これによってケースを固定することができる。
【００１６】
各区画中ではバー１３が、以下では一般に参照番号１６で示される自動剥離接点（図５を参照）に固定されており、これらの接点は、収束する端部１６’Ａ、１６’Ｂによって成端された二つの平行な部分１６Ａ、１６Ｂを規定するように折り曲げられた一枚のプレート１６から成り、前記の端部１６’Ａ、１６’Ｂの研磨した縁は、接続すべき導線の金属部分の直径よりわずかに短い長さだけ互いに離れている。プレート１６は、きちんと折り曲げられた部分１６Ｃのバーを突起１３Ａにはめ込むことによって、バーに固定される。
【００１７】
ケースは各区画１２ごとに、縦孔２１の形の部分を含む。この縦孔は、前述の自動剥離接点１６の上方に配置されており、ねじ切りされた本体２２Ａとスリット２２Ｃつきの頭２２Ｂを有するねじ２２を含み、このスリット２２Ｃはドライバ２４の端部を受けることができる。ねじの頭は、部品２１の二つの円状突出縁２１Ａ、２１Ｂの間に差し込まれ、その結果ねじは回転することができるが並進移動することはない。つまり、このねじは、内部にねじが切られた角柱形部分２５Ａを含むタペット２５を変位させるためのものであり、この角柱形部分２５Ａはねじ２２とかみ合い、底部２５Ｂによって角柱形終端部２５Ｃに固定されており、縦孔の断面は相対する二つの平行な面を含み、これは角柱形部分２５Ａについても同じであり、その結果、部品２５Ａは回転することはなく、軸方向にのみ移動することができる。部品２５Ｃの断面は特に図５を見るとよくわかるが、ほぼディアボロ（ｄｉａｂｏｌｏ）の断面を呈し、細くなった部分が自動剥離接点の研磨した縁の間に差し込まれる。この配置によって、接続すべき導線に対して規則的に配分された圧力を加えることができる。
【００１８】
ケースの部分Ａには、各区画ごとに、ケースの前面１に設けられた円錐形入口を有する横開口２７があり、これは接続すべき導線を受けるためのものである。この開口は、縦孔２１の基部と自動剥離接点１６の上部との間に配置されている。この開口は、接点１６に直角に延びたスリット２８と連絡し、このスリット２８の長さは、同じ区画中で接続しようとする導線の数に応じて選択される。選択し図示した例は、同じ区画の中に２本の導線を接続することができる例である。
【００１９】
スリット２８は、自動剥離接点１６の下方に２９の方向に、後で示すように、導線を引き出すことができる十分な長さにわたって延びている。
【００２０】
スリット２８の縁が、接点１６の右側に、弾力性のあるリップ３１、３２を備え、これらのリップはケースと一緒に成形されることが望ましく、接続後の導線の締め付けを目的とするものであることに留意されたい。
【００２１】
ケースの部分Ｂの上部３はクリップ付きのバー３４によって閉鎖されている。
【００２２】
端子の使用は次の通りである。
【００２３】
−  導線を受け取る前に区画を選択する。
【００２４】
−  タペット２５がねじ移動区域より高い位置にあることを確認する。
【００２５】
−  開口２７中に導線４０を、プレート１６Ｃに当たるまで差し込む。
【００２６】
−  ドライバ２４を使用して、ねじ２２を回してタペット２５を下方に変位させ、自動剥離接点１６の研磨した縁１６’Ａ、１６’Ｂの間に導線を入れ込む。この場合、例えばピッチ１４ｍｍの台形ねじ山４つ付きのねじを使用した場合、通常は１４０度の回転で十分である。
【００２７】
−  タペットを再度引き上げるために、ねじを反対方向に１回転させる。
【００２８】
−  この操作を再び行って、第２の導線を差し込むことができる。この導線は第１の導線を接続部の下部に押し込んでその場所を確保する。
【００２９】
上記の操作を、選択した区画の最多導線数に達するまで、繰り返すことができる。
【００３０】
導線を引き出すには、図３に示すように、同じドライバ２４を使用して、導線を直接下に向かって完全に押し付け、これを外部に引き出せば十分である。たしかに、リップ３１、３２が接続部１６の下方で止まっていることがわかる。
【００３１】
本発明は、成形部品の数が少ないので経済的に実現され、モジュール式なのであらゆる需要に応えることができ、この形式の接続で通常は必要とされる特別の道具や付属品を全く必要としないので、本発明の採用は特に容易である。
【図面の簡単な説明】
【図１】本発明の自動剥離接続を実施できるようにする端子の部分立面図である。
【図２】本発明の自動剥離接続を実施できるようにする端子の部分上面図である。
【図３】図１および図２より大縮尺で示した、図１の線ＩＩＩ−ＩＩＩに沿って切った部分断面図である。
【図４】図１および図２より大縮尺で示した、図３の線ＩＶ−ＩＶに沿って切った部分断面図である。
【図５】図１および図２より大縮尺で示した、図３の線Ｖ−Ｖに沿って切った部分断面図である。
【符号の説明】
１  ケースの前面
２  ケースの後面
３  ケースの頂部
４  ケースの底部
５  固定用金属レール
７  耳
１１  横断隔壁
１２  平行区画
１３  金属バー
１６  プレート、自動剥離接点
２１  縦孔
２１Ａ、２１Ｂ  円状突出縁
２２  ねじ
２２Ａ  ねじ本体
２２Ｃ、２８  スリット
２４  ドライバ
２５  タペット
２５Ａ  内部にねじが切られた角柱形部分
２５Ｂ  角柱形底部
２５Ｃ  角柱形終端部
２７  横開口
３１、３２  リップ
４０  導線
【図１】
0003801669.tif 000002
【図２】
0003801669.tif 000003
【図３】
0003801669.tif 000004
【図４】
0003801669.tif 000005
【図５】
0003801669.tif 000006